(57)【特許請求の範囲】
【請求項１】
ヒートポンプチラー（３）により冷却されたブラインを蓄熱槽（２）に送り、該蓄熱槽（２）内の蓄熱剤を氷結させて製氷運転し、該蓄熱剤の解凍により冷却されたブラインを空調機（１）に送って解凍運転することにより冷房を行う冷暖房用蓄熱装置であって、
前記ヒートポンプチラー（３）と連結された配管を通じて冷却されたブラインで冷房を行う空調機（１）と、
前記空調機（１）の下流に配管で順次直列に連結された、前記ブラインを閉止する閉鎖弁（４）と第２電動二方弁（５Ｂ）が間に設けられた蓄熱槽（２）と、
前記蓄熱槽（２）の下流に、ブラインの解氷循環経路を形成するために、配管で順次直列に連結された、第２開度調節弁（８Ｂ）、放熱ポンプ（６）、放熱ポンプ吐出逆止弁（７）と、
前記蓄熱槽（２）をバイパスするバイパス経路を形成するために、前記第２電動二方弁（５Ｂ）の下流側から前記放熱ポンプ（６）の吸入側を連結する配管に順次直列に設けられた第１電動二方弁（５Ａ）、第１開度調節弁（８Ａ）と、
前記蓄熱槽（２）の下流に、ブラインの製氷循環経路を形成するために、第１電動二方弁（５Ａ）と前記第１開度調節弁（８Ａ）を連結する配管の中間と、前記ヒートポンプチラー（３）と前記放熱ポンプ吐出逆止弁（７）を連結する配管の中間に設けられた、蓄熱ポンプ（９）、蓄熱ポンプ吐出逆止弁（１０）と、
更に該ヒートポンプチラー（３）と空調機（１）を連結する配管の中間と、第２開度調節弁（８Ｂ）と該蓄熱槽（２）を連結する配管の中間に順次直列に設けられた、第４電動二方弁（５Ｄ）、前記閉鎖弁（４）と第３電動二方弁（５Ｃ）と、を備え、
製氷運転時には、ブラインを前記製氷循環経路に循環させるために、第２電動二方弁（５Ｂ）を「閉」とし、第１電動二方弁（５Ａ）、第４電動二方弁（５Ｄ）及び第３電動二方弁（５Ｃ）を「開」とし、更に放熱ポンプ（６）を停止し、蓄熱ポンプ（９）を稼働させることにより、前記蓄熱槽（２）内の蓄熱剤を冷却させ、
解氷運転時には、ブラインを前記解氷循環経路に循環させるために、第１電動二方弁（５Ａ）及び第２電動二方弁（５Ｂ）を「開」とし、第３電動二方弁（５Ｃ）及び第４電動二方弁（５Ｄ）を「閉」とし、蓄熱ポンプ（９）を停止し、放熱ポンプ（６）を稼働させ、前記蓄熱剤により冷却されたブラインを空調機（１）に送って冷房を行うように構成した、ことを特徴とする冷暖房用蓄熱装置。
【請求項２】
ヒートポンプチラー（３）により加熱されたブラインを蓄熱槽（２）に送り、該蓄熱槽（２）内の蓄熱剤及びブラインを加熱蓄熱して温熱蓄熱運転し、前記蓄熱剤及びブラインに蓄熱されている温熱について、ブラインを循環させて空調機（１）に送り、暖房放熱運転することにより暖房を行う冷暖房用蓄熱装置であって、
前記ヒートポンプチラー（３）と連結された配管を通じて循環されるブラインを利用して暖房を行う空調機（１）と、
前記空調機（１）の下流に配管で順次直列に連結された、ブラインを閉止する閉鎖弁（４）と第２電動二方弁（５Ｂ）が間に設けられた蓄熱槽（２）と、
前記空調機（１）の下流に、暖房放熱循環経路を形成するために、配管で順次直列に連結された、第３電動二方弁（５Ｃ）、蓄熱槽（２）、第１電動二方弁（５Ａ）、第１開度調節弁（８Ａ）、放熱ポンプ（６）、放熱ポンプ吐出逆止弁（７）と、
前記蓄熱槽（２）をバイパスするバイパス経路を形成するために、前記第３電動二方弁（５Ｃ）と該蓄熱槽（２）に連結する配管（１１）の中間と、前記放熱ポンプ（６）の吸入側とに設けられた第２開度調節弁（８Ｂ）と、
前記蓄熱槽（２）の下流に、温熱蓄熱循環経路を形成するために、第１電動二方弁（５Ａ）と前記第１開度調節弁（８Ａ）を連結する配管の中間と、前記ヒートポンプチラー（３）と前記放熱ポンプ吐出逆止弁（７）を連結する配管の中間に設けられた、蓄熱ポンプ（９）、蓄熱ポンプ吐出逆止弁（１０）と、
更に該ヒートポンプチラー（３）と空調機（１）を連結する配管の中間と、第１電動二方弁（５Ａ）と蓄熱槽（２）を連結する配管（１２）の中間に設けられた、第４電動二方弁（５Ｄ）と第２電動二方弁（５Ｂ）と、を備え、
温熱蓄熱運転時には、ブラインを前記温熱蓄熱循環経路に循環させるために、前記閉鎖弁（４）、前記第１電動二方弁（５Ａ）及び第３電動二方弁（５Ｃ）を「閉」とし、第２電動二方弁（５Ｂ）及び第４電動二方弁（５Ｄ）を「開」とし、更に放熱ポンプ（６）を停止し、蓄熱ポンプ（９）を稼働させることにより、前記蓄熱槽（２）内の蓄熱剤を加熱させ、
暖房放熱運転時には、ブラインを前記暖房放熱循環経路に循環させるために、第１電動二方弁（５Ａ）は空調機（１）の温水出口温度が所定のしきい値以下となった場合に「開」とし、前記閉鎖弁（４）と第２電動二方弁（５Ｂ）を「閉」とし、第３電動二方弁（５Ｃ）を「開」とし、更に蓄熱ポンプ（９）を停止し、放熱ポンプ（６）を稼働させ、前記蓄熱剤により加熱されたブラインを空調機（１）に送って暖房を行うように構成した、ことを特徴とする冷暖房用蓄熱装置。
【請求項３】
前記しきい値が２５〜４０℃である、ことを特徴とする請求項２の冷暖房用蓄熱装置。
【請求項４】
前記空調機（１）に熱交換器を連結した、ことを特徴とする請求項１、２又は３の冷暖房用蓄熱装置。
【発明の詳細な説明】
【０００１】
【発明の属する技術分野】
本発明は、低廉な夜間電力を用いて蓄熱槽で製氷を行い、昼間のビル内の冷房時に蓄熱槽に潜熱として蓄えられた冷熱を空調機を通して冷房に用い、更に夜間電力を用いて蓄熱槽で蓄熱体を加熱し、昼間のビル内の暖房時に蓄熱槽に蓄えられた温熱を空調機を通して暖房にも用いる冷暖房用蓄熱装置に関する。
【０００２】
【従来の技術】
従来より、冷房時期において、夜間電力を用いて製氷し、その蓄えられた冷熱を昼間のビル内の冷房熱源として利用する氷蓄熱システムが提案されている。この氷蓄熱システムに利用される氷蓄熱装置は、図６に示すように、夜間の製氷運転時にはチラー５１により冷却されたブラインを蓄熱槽５２に送り、この蓄熱槽５２内の蓄熱剤を氷結させ、昼間の解凍運転時に蓄熱剤の解凍により冷却されたブラインを空調機あるいは熱交換器５３に送って冷房を行っていた。
【０００３】
【発明が解決しようとする課題】
上述した従来の蓄熱装置では、空調機あるいは熱交換器５３からチラー５１への戻り温度Ｔｉを検知してチラー５１の能力制御が行われている。この戻り温度Ｔｉが所定の設定温度Ｔｉ１より下方に変化すると、チラー５１は減量運転に入り、所定の設定温度Ｔｉ２より上方に変化すると、このチラー５１の運転能力は復帰する。これをディファレンシャルといい、（Ｔｉ２−Ｔｉ１）は通常２℃程度の温度差を付けている。このため、空調機あるいは熱交換器５３の空調負荷がある程度低い時、即ちチラー５１への戻り温度ＴｉがＴｉ１とＴｉ２の間にあるときは、チラー５１の能力は減量した状態あるいは最大能力運転か運転状態が確定しない。このことは、チラー５１の出口温度が確定しない事を意味する。換言すれば、このチラー５１の入口温度Ｔｉが一定の時はチラー５１の出口温度Ｔｏの温度の時間平均値は一定となるものの、入口温度Ｔｉが変化する時は必ずしもその温度が一定とならない。
【０００４】
蓄熱運転時には、チラー５１により冷却されたブラインを蓄熱槽５２に送り、この蓄熱槽５２内の蓄熱剤を冷却凝固し、放熱運転時には蓄熱剤が融解することにより冷却されたブラインを空調機あるいは熱交換器５３に送って冷房を行う蓄熱装置では、蓄熱槽５２の入口温度Ｔｏが変化すると蓄熱剤の融解量も変化することになる。この蓄熱槽５２においては、槽入口温度が一定であることを前提とし、一日に亘る解氷量を決定している。そこで、空調負荷が変動する情況で槽入口温度が一定とならない場合は、一日の空調時間帯に蓄熱した冷熱を使い切ることができるか、また不足するか定かでないという問題を有していた。
【０００５】
本発明は、上述した問題点を解決するために創案されたものである。すなわち本発明の目的は、放熱循環経路において空調機あるいは熱交換器（空調負荷）の直下流に蓄熱槽を配列することによって、空調負荷の変動を蓄熱槽の上流で直に感知し、戻り温度Ｔｉ×水槽還流流量ｑｉが一定となるように積極的に制御することによって、蓄熱槽からの放熱量又は解氷量を一定に保つことができ、昼間の空調時間帯に正確に蓄熱槽に蓄えられた冷熱を負荷（冷房機）に供給することができる冷暖房用蓄熱装置を提供することにある。
【０００６】
また、本発明は、上述した冷房運転時のみならず、暖房運転時に戻り温度Ｔｉの検知点を温水系統に変更し、かつ設定温度を変更することによって、寒冷時に頻発するヒートポンプチラーのデフロスト時に蓄熱槽に蓄えられた温熱を暖房機に供給することができる冷暖房用蓄熱装置を供給することにある。
【０００７】
【課題を解決するための手段】
本発明を冷房運転に用いる冷暖房用蓄熱装置は、ヒートポンプチラー（３）により冷却されたブラインを蓄熱槽（２）に送り、該蓄熱槽（２）内の蓄熱剤を氷結させて製氷運転し、該蓄熱剤の解凍により冷却されたブラインを空調機（１）に送って解凍運転することにより冷房を行う冷暖房用蓄熱装置であって、前記ヒートポンプチラー（３）と連結された配管を通じて冷却されたブラインで冷房を行う空調機（１）と、前記空調機（１）の下流に配管で順次直列に連結された、前記ブラインを閉止する閉鎖弁（４）と第２電動二方弁（５Ｂ）が間に設けられた蓄熱槽（２）と、前記蓄熱槽（２）の下流に、ブラインの解氷循環経路を形成するために、配管で順次直列に連結された、第２開度調節弁（８Ｂ）、放熱ポンプ（６）、放熱ポンプ吐出逆止弁（７）と、前記蓄熱槽（２）をバイパスするバイパス経路を形成するために、前記第２電動二方弁（５Ｂ）の下流側から前記放熱ポンプ（６）の吸入側を連結する配管に順次直列に設けられた第１電動二方弁（５Ａ）、第１開度調節弁（８Ａ）と、前記蓄熱槽（２）の下流に、ブラインの製氷循環経路を形成するために、第１電動二方弁（５Ａ）と前記第１開度調節弁（８Ａ）を連結する配管の中間と、前記ヒートポンプチラー（３）と前記放熱ポンプ吐出逆止弁（７）を連結する配管の中間に設けられた、蓄熱ポンプ（９）、蓄熱ポンプ吐出逆止弁（１０）と、更に該ヒートポンプチラー（３）と空調機（１）を連結する配管の中間と、第２開度調節弁（８Ｂ）と該蓄熱槽（２）を連結する配管の中間に順次直列に設けられた、第４電動二方弁（５Ｄ）、前記閉鎖弁（４）と第３電動二方弁（５Ｃ）と、を備え、製氷運転時には、ブラインを前記製氷循環経路に循環させるために、第２電動二方弁（５Ｂ）を「閉」とし、第１電動二方弁（５Ａ）、第４電動二方弁（５Ｄ）及び第３電動二方弁（５Ｃ）を「開」とし、更に放熱ポンプ（６）を停止し、蓄熱ポンプ（９）を稼働させることにより、前記蓄熱槽（２）内の蓄熱剤を冷却させ、解氷運転時には、ブラインを前記解氷循環経路に循環させるために、第１電動二方弁（５Ａ）及び第２電動二方弁（５Ｂ）を「開」とし、第３電動二方弁（５Ｃ）及び第４電動二方弁（５Ｄ）を「閉」とし、蓄熱ポンプ（９）を停止し、放熱ポンプ（６）を稼働させ、前記蓄熱剤により冷却されたブラインを空調機（１）に送って冷房を行うように構成した、ことを特徴とする冷暖房用蓄熱装置が提供される。
【０００８】
上記発明の構成では、冷房時において、解氷時にブラインは蓄熱槽（２）、ヒートポンプチラー（３）、空調機（１）を循環するために、空調の負荷の大小、即ち空調機（１）の出口温度が上下するにもかかわらず、解氷が先ず優先される。また、高温のブラインが直接蓄熱槽（２）に入るので、急速解氷することができる。
ブラインの蓄熱槽（２）の流れとバイパス経路の第１開度調節弁（８Ａ）の流れは、第２電動二方弁（５Ｂ）の開度をそれぞれ例えば、タイマ（１３）で調節することにより、解氷量を積極的に調節することができる。また、製氷運転時には、ブラインが蓄熱槽（２）の底部から上部に向けて流れ、解氷時には蓄熱槽（２）の上部から底部に向けて流れるので、製氷及び解氷が安定に行なわれる。
【０００９】
また、暖房運転に用いる冷暖房用蓄熱装置は、ヒートポンプチラー（３）により加熱されたブラインを蓄熱槽（２）に送り、該蓄熱槽（２）内の蓄熱剤及びブラインを加熱蓄熱して温熱蓄熱運転し、前記蓄熱剤及びブラインに蓄熱されている温熱について、ブラインを循環させて空調機（１）に送り、暖房放熱運転することにより暖房を行う冷暖房用蓄熱装置であって、前記ヒートポンプチラー（３）と連結された配管を通じて循環されるブラインを利用して暖房を行う空調機（１）と、前記空調機（１）の下流に配管で順次直列に連結された、ブラインを閉止する閉鎖弁（４）と第２電動二方弁（５Ｂ）が間に設けられた蓄熱槽（２）と、前記空調機（１）の下流に、暖房放熱循環経路を形成するために、配管で順次直列に連結された、第３電動二方弁（５Ｃ）、蓄熱槽（２）、第１電動二方弁（５Ａ）、第１開度調節弁（８Ａ）、放熱ポンプ（６）、放熱ポンプ吐出逆止弁（７）と、前記蓄熱槽（２）をバイパスするバイパス経路を形成するために、前記第３電動二方弁（５Ｃ）と該蓄熱槽（２）に連結する配管（１１）の中間と、前記放熱ポンプ（６）の吸入側とに設けられた第２開度調節弁（８Ｂ）と、前記蓄熱槽（２）の下流に、温熱蓄熱循環経路を形成するために、第１電動二方弁（５Ａ）と前記第１開度調節弁（８Ａ）を連結する配管の中間と、前記ヒートポンプチラー（３）と前記放熱ポンプ吐出逆止弁（７）を連結する配管の中間に設けられた、蓄熱ポンプ（９）、蓄熱ポンプ吐出逆止弁（１０）と、更に該ヒートポンプチラー（３）と空調機（１）を連結する配管の中間と、第１電動二方弁（５Ａ）と蓄熱槽（２）を連結する配管（１２）の中間に設けられた、第４電動二方弁（５Ｄ）と第２電動二方弁（５Ｂ）と、を備え、温熱蓄熱運転時には、ブラインを前記温熱蓄熱循環経路に循環させるために、前記閉鎖弁（４）、前記第１電動二方弁（５Ａ）及び第３電動二方弁（５Ｃ）を「閉」とし、第２電動二方弁（５Ｂ）及び第４電動二方弁（５Ｄ）を「開」とし、更に放熱ポンプ（６）を停止し、蓄熱ポンプ（９）を稼働させることにより、前記蓄熱槽（２）内の蓄熱剤を加熱させ、暖房放熱運転時には、ブラインを前記暖房放熱循環経路に循環させるために、第１電動二方弁（５Ａ）は空調機（１）の温水出口温度が所定のしきい値以下となった場合に「開」とし、前記閉鎖弁（４）と第２電動二方弁（５Ｂ）を「閉」とし、第３電動二方弁（５Ｃ）を「開」とし、更に蓄熱ポンプ（９）を停止し、放熱ポンプ（６）を稼働させ、前記蓄熱剤により加熱されたブラインを空調機（１）に送って暖房を行うように構成したものである。前記しきい値は２５〜４０℃が好ましい。
なお、空調機（１）に熱交換器を連結することも可能である。
【００１０】
上記発明の構成では、暖房時において、ヒートポンプチラー（３）のデフロスト時に、空調機（１）を出る温水温度が低下する。このとき、例えば、設定しきい値３０℃のときに、第１電動二方弁（５Ａ）を全開することにより、蓄熱槽（２）の５０℃のブラインが供給され、暖房は継続される。ヒートポンプチラー（３）が稼動すると、第１電動二方弁（５Ａ）は「閉」にする。そこで、ブラインは、温熱蓄熱時には蓄熱槽（２）の上部から下部に向けて流れ、温熱放熱時には蓄熱槽（２）の下部から上部に流れるので、効率良く熱交換することができる。
【００１１】
このように、本発明は、第１〜第３電動二方弁（５Ａ，５Ｂ，５Ｃ）の開閉操作、放熱ポンプ（６）と蓄熱ポンプ（９）の稼動と停止の組み合わせを可変するだけで、冷却の蓄熱のみならず、温熱の蓄熱も同一の冷暖房用蓄熱装置で行うことができる。
【００１２】
【発明の実施の形態】
以下、本発明の好ましい実施の形態を図面を参照して説明する。
図１は本発明の冷暖房用蓄熱装置の基本原理を示すブロック図である。図２は本発明の冷暖房用蓄熱装置を示すブロック図である。
本発明の冷暖房用蓄熱装置は、昼間のビル内の冷暖房を行う際に、蓄熱槽２に入れた蓄熱剤により冷却又は加熱されたブラインを空調機１又は熱交換器（図示していない）を介して空調機１に送る放熱循環経路と、この蓄熱槽２をバイパスするためのバイパス経路と、低廉な夜間電力を用いて蓄熱する際に、ヒートポンプチラー３により冷却又は加熱されたブラインを蓄熱槽２に送るための蓄熱循環経路とを有するものである。
【００１３】
図３は本発明の冷暖房用蓄熱装置を冷房運転するときの実施の形態を示すブロック図であり、（ａ）は製氷運転時の状態、（ｂ）は解氷運転時の状態である。図中、実線矢印は昼間における放熱（冷房）運転時のブラインの流れを示し、点線矢印は夜間の蓄熱（凍結）運転時のブラインの流れを示すものである。
冷暖房用蓄熱装置の解氷循環経路（放熱循環経路）は、ブラインをヒートポンプチラー３、空調機１又は熱交換器を介して、閉鎖弁４、第２電動二方弁５Ｂ、蓄熱槽２、第２開度調節弁８Ｂ、放熱ポンプ６、放熱ポンプ吐出逆止弁７それぞれを配管で順次直列に配置したものである。
バイパス経路は、第２電動二方弁５Ｂの下流側から蓄熱槽２をバイパスし、放熱ポンプ６の吸入側とを結び、途中に第１開度調節弁８Ａを配置したものである。
製氷循環経路（蓄熱循環経路）は、第１電動二方弁５Ａと第１開度調節弁８Ａの中間と、ヒートポンプチラー３と放熱ポンプ吐出逆止弁７との中間とを結び途中に蓄熱ポンプ９、蓄熱ポンプ吐出逆止弁１０とを配置したものである。
この蓄熱槽２に対しては、第２開度調節弁８Ｂに通じる配管１１は、蓄熱槽２の底部に近い所に連結し、第１電動二方弁５Ａと第２電動二方弁５Ｂとの中間に通じる配管１２は蓄熱槽２の上部に近い所に連結している。タイマ１３は、これらの第１から第４電動二方弁５Ａ，５Ｂ，５Ｃ，５Ｄ、ヒートポンプチラー３及び放熱ポンプ６等をそれぞれ予め設定した時間に制御するものである。第１、第２開度調節弁８Ａ及び８Ｂは、各冷房運転及び暖房運転期間を通じて開度を一定に保持する。
【００１４】
本発明の冷暖房用蓄熱装置を冷房運転に用いるときは、夜間における製氷運転時には、図３（ａ）において点線矢印で表現した製氷循環経路（蓄熱循環経路）に示すように、第２電動二方弁５Ｂを「閉」とし、かつ第1電動二方弁５Ａ及び第３電動二方弁５Ｃを「開」とし、更に放熱ポンプ６を停止し、蓄熱ポンプ９を稼働させることにより、ヒートポンプチラー３により冷却されたブラインを蓄熱槽２に送り、蓄熱槽２内の蓄熱剤を氷結させる。この製氷運転時では、ヒートポンプチラー３から閉鎖弁４、第３電動二方弁５Ｃｂを通って蓄熱槽２を連結する配管１４は、夜間の蓄熱運転時に利用される。
【００１５】
昼間における解氷運転時には、図３（ｂ）において実線矢印で表現した解氷循環経路（放熱循環経路）に示すように、第１電動二方弁５Ａ及び第２電動二方弁５Ｂを「開」とし、かつ第３電動二方弁５Ｃ及び第４電動二方弁５Ｄを「閉」とし、蓄熱ポンプ９を停止し、放熱ポンプ６を稼働させることにより、蓄熱槽２内の蓄熱剤の解凍により冷却されたブラインを空調機１に送って冷房を行うようになっている。この解氷運転時にブラインは、蓄熱槽２、ヒートポンプチラー３、空調機１を循環するために、空調の負荷の大小、即ち空調機１又は途中介在させた熱交換器を介して空調機１の出口温度が上下するにもかかわらず、解氷が先ず優先される。また、高温のブラインが直接蓄熱槽２に入るので、急速解氷することができる。
【００１６】
図４は本発明の冷暖房用蓄熱装置の解氷時の解氷量を示すグラフである。
蓄熱槽２のブラインの流れとバイパス経路の第１開度調節弁８Ａの流れは、第２電動二方弁５Ｂの開度をそれぞれタイマ１３で調節することにより、解氷量を積極的に調節することができる。本発明の冷暖房用蓄熱装置では、氷蓄熱槽２の出口温度は、氷がある限り０℃に近い温度である。空調機１よりの戻り温度（Ｔｉ）は負荷（ＫＣａｌ／ｈ）の大きさに比例する。
解氷量 Ｑ（ＫＣａｌ／ｈ）＝ρＣ×ｑ１×（Ｔｉ−Ｔ０）
ρ：流体の比重
Ｃ：流体の比熱
ｑ１：水槽還流流量
Ｔｉ：戻り温度
Ｔ０：槽出口温度＝０℃
で、ρ、Ｃ及びＴ０は略定数と考えて良いから、
Ｑ（ＫＣａｌ／ｈ）＝ｅ×ｑ１×Ｔｉ … （１）式
となる。
ｅ：定数
従って、（１）式より、ｑ１×Ｔｉ＝一定となるようにｑ１を制御すれば、蓄熱槽２からの取り出し熱量を一定にすることができる。そこで、図４のグラフに示すように、夜間に蓄熱した冷熱を優先的に、しかも一定量を確実に解凍することができる。
【００１７】
本発明の蓄熱槽２は、第２開度調節弁８Ｂに通じる配管１１を蓄熱槽２の底部に近い所に連結し、第1電動二方弁５Ａと第２電動二方弁５Ｂとの中間に通じる配管１２を蓄熱槽２の上部に近い所に連結した構造で、製氷運転時においては、ブラインを蓄熱槽２の底部に近い所に流入させ、蓄熱槽２の上部に近い所から流出させるようになっている。また、解氷運転時においては、ブラインを蓄熱槽２の上部に近い所から流入させ、底部に近い所から流出させることができるために、ブラインが氷蓄熱槽１の上部から底部に向けて流れるので、製氷及び解氷が安定に行なわれる。
【００１８】
図５は本発明の冷暖房用蓄熱装置を暖房運転するときの実施の形態を示すブロック図であり、（ａ）は温熱蓄熱運転時の状態、（ｂ）は暖房放熱運転時の状態である。図中、実線矢印は昼間の放熱（暖房）運転時のブラインの流れを示し、点線矢印は夜間の蓄熱（加熱）運転時のブラインの流れを示すものである。
【００１９】
本発明の冷暖房用蓄熱装置を暖房運転に用いるときは、夜間における温熱蓄熱運転時には、図５（ａ）において点線矢印で表現した温熱蓄熱循環経路（蓄熱循環経路）に示すように、第１電動二方弁５Ａ及び第３電動二方弁５Ｃを「閉」とし、かつ第４電動二方弁５Ｄ及び第２電動二方弁５Ｂを「開」とし、更に放熱ポンプ６を停止し、蓄熱ポンプ９を稼働させることにより、ヒートポンプチラー３により加熱されたブラインを蓄熱槽２に送り、蓄熱槽２内の蓄熱剤及びブラインを加熱蓄熱することができる。なお、暖房時期においては、閉鎖弁４は常時「閉」となる。
【００２０】
昼間における暖房放熱運転時には、図５（ｂ）において実線矢印で表現した暖房放熱循環経路（放熱循環経路）に示すように、第１電動二方弁５Ａは空調機１の温水出口温度が所定のしきい値以下となった場合に「開」とし、かつ、第２電動二方弁５Ｂを「閉」とし、第３電動二方弁５Ｃを「開」とし、更に蓄熱ポンプ９を停止し、放熱ポンプ６を稼働させることにより、蓄熱剤で過熱されたブラインを空調機１に送って暖房を行うようになっている。例えば、ヒートポンプチラー３のデフロスト時に、空調機１を出る温水温度が低下する。本実施の形態では、設定しきい値が３０℃のときに、第１電動二方弁５Ａを全開することにより、蓄熱槽２の５０℃のブラインが供給され、暖房が継続されるようになっている。ヒートポンプチラー３が稼動すると、第１電動二方弁５Ａは「閉」にする。但し、このしきい値は２５〜４０℃の範囲内で設定することができる。
【００２１】
温熱蓄熱運転時においては、ブラインを蓄熱槽２の上部に近い所から流入させ、下部に近い所から流出させ、暖房運転時においては、ブラインを蓄熱槽２の下部に近い所から流入させ、上部に近い所から流出させることが好ましい。これは、蓄熱時には、ブラインが蓄熱槽２を上部から下部に向けて流れ、暖房放熱運転時にはブラインが蓄熱槽２を下部から上部に向けて流れるので、効率良く熱交換させるためである。
【００２２】
【発明の効果】
上述したように、本発明の冷暖房用蓄熱装置は、放熱循環経路において空調機の上流側にヒートポンプチラーを配列することで、解氷等の放熱時にブラインは蓄熱槽、ヒートポンプチラー、空調機を循環するために、空調の負荷の大小、即ち空調機の出口温度が上下するにもかかわらず、解氷が先ず優先される。そこで、高温のブラインが直接蓄熱槽に入るので、急速解氷することができる。また、蓄熱槽の流れとバイパス経路の第１、第２開度調節弁の流れを、第１〜第４電動二方弁の開度を調節することで、解氷量又は放熱量を一定に保つことができる。
【００２３】
また、本発明の冷暖房用蓄熱装置は、このように温度を一定に保持できるために、氷のように潜熱として蓄熱することができない温水蓄熱装置であっても効率良く蓄熱することができるので、暖房にも利用することができる、等の効果がある。
【図面の簡単な説明】
【図１】本発明の冷暖房用蓄熱装置の基本原理を示すブロック図である。
【図２】本発明の冷暖房用蓄熱装置を示すブロック図である。
【図３】本発明の冷暖房用蓄熱装置を冷房運転するときの実施の形態を示すブロック図であり、（ａ）は製氷運転時の状態、（ｂ）は解氷運転時の状態である。
【図４】本発明の冷暖房用蓄熱装置の解氷時の解氷量を示すグラフである。
【図５】本発明の冷暖房用蓄熱装置を暖房運転するときの実施の形態を示すブロック図であり、（ａ）は温熱蓄熱運転時の状態、（ｂ）は暖房放熱運転時の状態である。
【図６】従来の冷房専用蓄熱装置を示すブロック図である。
【符号の説明】
１  空調機（熱交換器）
２  蓄熱槽
３  ヒートポンプチラー
４  閉鎖弁
５Ａ  第１電動二方弁
５Ｂ  第２電動二方弁
５Ｃ  第３電動二方弁
５Ｄ  第４電動二方弁
６  放熱ポンプ
７  放熱ポンプ吐出逆止弁
８Ａ  第１開度調節弁
８Ｂ  第２開度調節弁
９  蓄熱ポンプ
１０  蓄熱ポンプ吐出逆止弁
１３  タイマ
【図１】
0004318277.tif 000002
【図２】
0004318277.tif 000003
【図３】
0004318277.tif 000004
【図４】
0004318277.tif 000005
【図５】
0004318277.tif 000006
【図６】
0004318277.tif 000007